(57)【要約】  【課題】圧縮するために既存の音楽データを選定することもなく、記録媒体の空き領域を確保することができるナビゲーション装置を提供する。  【解決手段】ナビゲーション装置１での走行履歴を元にエリア別地図データの使用回数を検出し、ＨＤＤ１２にエリア別の地図データの使用回数を保存し、音楽入力部１７に音楽ＣＤや音楽ＤＶＤが挿入されるとＨＤＤ１２の空き領域に対して音楽データが保存可能か否かを容量比較判断プログラムで判断し、ＨＤＤ１２の空き領域に音楽データが保存できないと判断したとき、ＨＤＤ１２に保存されたエリア別の地図データの使用回数から使用回数の少ない地図データを自動的に選択して削除してＨＤＤ１２の空き領域を確保する。  【選択図】図２
2007133538.tif 000002
【特許請求の範囲】
【請求項１】
複数エリアの地図データが記憶部に保存され現在位置から目的地を設定して経路案内を行うと共に音楽をリッピングして音楽データとして前記記憶部に保存するリッピング部を備えたナビゲーション装置において、
前記エリア毎に前記地図データの使用回数を検出する使用回数検出部と、  
前記記憶部の空き領域を検出する記憶容量検出部と、
前記記憶容量検出部で検出された前記空き領域と前記音楽データとを比較し前記記憶部に前記音楽データが保存可能か否かを判断するデータ比較判断部と、
前記データ比較判断部で前記空き領域よりも前記音楽データの保存領域が大きいと判断したとき前記使用回数検出部で検出された使用回数の少ないエリアの地図データを整理する地図データ整理部とを、
備えて構成されることを特徴とするナビゲーション装置。
【請求項２】
前記地図データ整理部は、前記地図データを前記記憶部から削除することを特徴とする請求項１に記載のナビゲーション装置。
【請求項３】
前記地図データ整理部は、前記地図データを外部の磁気記録媒体に移動することを特徴とする請求項１に記載のナビゲーション装置。
【請求項４】
前記地図データ整理部は、前記地図データを圧縮して前記記憶部に再保存することを特徴とする請求項１に記載のナビゲーション装置。
【請求項５】
前記ナビゲーション装置は、前記使用回数検出部で検出された使用回数の少ないエリアをリスト表示するリスト表示部を備えることを特徴とする請求項１から請求項４のいずれか一項に記載のナビゲーション装置。
【請求項６】
前記使用回数検出部は、前記ナビゲーション装置の利用者によってあらかじめ登録されたエリアの地図データを前記地図データ整理部の非対象とすることを特徴とする請求項１から請求項５のいずれか１項に記載のナビゲーション装置。
【請求項７】
前記ナビゲーション装置は、外部との通信可能な通信部を有し、前記通信部を用いて前記地図データ整理部で削除された地図データを外部から取得することを特徴とする請求項１から請求項６のいずれか1項に記載のナビゲーション装置。
【発明の詳細な説明】
【技術分野】
【０００１】
本発明は、ナビゲーション装置で用いられる地図データを圧縮するデータを選定する選定手段を提案するものである。
【背景技術】
【０００２】
従来、車内で音楽を楽しむためには、オーディオデータが書き込まれたＣＤ（コンパクトディスク）やＭＤ（ミニディスク）を車内に持ち込み、ＨＤＤ（ハードディスク）やフラッシュメモリ等の記録媒体に音楽をリッピングして保存できる車載オーディオ装置やナビゲーション装置がある。
【０００３】
このような車載オーディオでは、データを記録する記録媒体の空き領域と、新たに記憶しようとする音楽のデータ量に応じて、圧縮すべき記録媒体にすでに保存されている音楽のデータを選定する。そして選定された音楽データに対してユーザが圧縮率を設定して圧縮し、記録媒体の空き領域を広げて新たに記憶する音楽データを未圧縮で保存するように構成されている（例えば、特許文献１）。
【特許文献１】特開２００５−１７４３７８号公報
【発明の開示】
【発明が解決しようとする課題】
【０００４】
しかしながら、従来の車載オーディオのように記録媒体の空き領域が不足したときに記録媒体に保存された音楽データを選定し、その選定された音楽データに対してユーザが圧縮率を設定して圧縮するように構成すると、新たに記憶しようとする音楽データの記憶領域が十分に確保することができず、新たに保存された音楽データを選定する必要があった。
【０００５】
また、記録媒体に保存した音楽が増えるにつれて、記録媒体に保存された音楽データを圧縮することが多くなり、記録媒体に音楽を保存する際に音楽データを圧縮して保存したものと違いがなくなるおそれがあった。
【０００６】
そこで本発明では、圧縮するために既存の音楽データを選定することもなく、記録媒体の空き領域を確保することができるナビゲーション装置を提供することを目的とする。
【課題を解決するための手段】
【０００７】
本発明のナビゲーション装置は、複数エリアの地図データが記憶部に保存され現在位置から目的地を設定して経路案内を行うと共に音楽をリッピングして音楽データとして前記記憶部に保存するリッピング部を備えたナビゲーション装置において、前記エリア毎に前記地図データの使用回数を検出する使用回数検出部と、前記記憶部の空き領域を検出する記憶容量検出部と、前記記憶容量検出部で検出された前記空き領域と前記音楽データとを比較し前記記憶部に前記音楽データが保存可能か否かを判断するデータ比較判断部と、  前記データ比較判断部で前記空き領域よりも前記音楽データの保存領域が大きいと判断したとき前記使用回数検出部で検出された使用回数の少ないエリアの地図データを整理する地図データ整理部とを、備えて構成されている。
【０００８】
このように構成されたナビゲーション装置は、エリア毎に地図データの使用回数を使用回数検出部で検出すると共にナビゲーション装置に設けられた記憶部の空き領域を記憶容量検出部で検出し、新たに音楽をリッピングして記憶部に保存するときの音楽データと記憶部の空き領域をデータ比較判断部で保存可能か否かを検討し、保存可能でないと判断さ
れると使用回数検出部で検出した使用回数の少ないエリアの地図データを地図データ整理部で整理するように構成しているので、新しい音楽データを記憶部に保存する際に空き領域が不足していても記憶部に保存された使用回数の少ないエリアの地図データをデータ整理部で整理することで記憶部の空き領域を確保することができる。
なお、データ整理部とは、例えば、地図データを削除、圧縮、他の媒体への移動等を行うものである。また、記憶部とは、例えば、大容量のデータを保存することができるＨＤＤ（ハードディスク）、フラッシュメモリ等の記憶媒体を用いることができる。また、音楽とは、ＣＤ−ＲＯＭ、ＤＶＤ−ＲＯＭ、ＭＤ、フラッシュメモリ等に保存された例えば、市販されている音楽ＣＤ、音楽ＤＶＤ、音楽ＭＤ等であり、インターネットのようなネットワークから音楽をダウンロードするものでもよい。
【０００９】
また、本発明のナビゲーション装置の前記地図データ整理部は、前記地図データを前記記憶部から削除するように構成されている。
【００１０】
このように構成されたナビゲーション装置は、記憶部に音楽データを保存する際に、記憶部の空き領域が不足することがデータ比較判断部で判断されると、使用回数検出部で検出された使用回数の少ない地図データをデータ整理部で記憶部から削除することで記憶部の空き領域を確保することができる。
【００１１】
また、本発明のナビゲーション装置の前記地図データ整理部は、前記地図データを外部の磁気記録媒体に移動するように構成されている。
【００１２】
このように構成されたナビゲーション装置によれば、使用回数検出部で検出された使用回数の少ない地図データをデータ整理部で整理する際に、外部の磁気記録媒体に地図データを移動することで、記憶部の空き領域を確保することができる。なお、磁気記録媒体とは、ナビゲーション装置に挿入又は外付けされて使用できるものが好ましく、例えば、ＳＤカード、ＵＳＢメモリ、フラッシュメモリ等を用いることができる。
【００１３】
また、本発明のナビゲーション装置の前記地図データ整理部は、前記地図データを圧縮して前記記憶部に再保存するように構成されている。
【００１４】
このように構成されたナビゲーション装置によれば、記憶部に音楽データを保存する際に、記憶部の空き領域が不足するとデータ比較判断部で判断されると、使用回数検出部で検出された使用回数の少ない地図データをデータ整理部で圧縮することで記憶部の空き領域を確保することができ、使用回数の少ない地図データを圧縮していても、最低限のナビゲーション機能を確保することができる。なお、圧縮された地図データは必要に応じて復元することができ、例えば、圧縮された地図データを復元する際に使用回数検出部で圧縮されていない地図データの使用回数を検出して、使用回数の少ない地図データをデータ整理部で圧縮して記憶部の保存領域を確保してから圧縮された地図データを復元するようにしてもよい。
【００１５】
また、本発明のナビゲーション装置の前記使用回数検出部は、前記ナビゲーション装置の利用者によってあらかじめ登録されたエリアの前記地図データを除き前記地図データの使用回数を検出するように構成されている。
【００１６】
このように構成されたナビゲーション装置によれば、ナビゲーション装置の利用者があらかじめデータ整理部で整理したくないエリアの地図データを登録することで、使用回数検出部で使用回数を検出しないため、登録したエリアの地図データをデータ整理部で整理されずに利用者が使用することができる。例えば、地図データの使用回数は少なくても利用者がかならず使用するものに対して登録しておくことで、データ整理部での整理を防止
することができる。
【００１７】
また、本発明のナビゲーション装置は、外部との通信可能な通信部を有し、前記通信部を用いて前記地図データ整理部で削除された地図データを外部から取得するように構成されている。
【００１８】
このように構成されたナビゲーション装置は、外部との通信を行える通信部を備えることで、データ整理部で削除された地図データを外部から取得することができる。例えば、使用回数の少ない地図データが削除されても、ナビゲーション装置を使用する際に必要に応じて削除された地図データを取得して使用することができる。なお、外部から地図データを取得する際には、例えば、ネットワークにつながれた地図データサーバや地図データベースを用いることができる。また、削除された地図データを取得する際に、使用回数検出部で検出された使用回数の少ない地図データをデータ整理部で削除してから取得するように構成してもよい。また、通信部を用いてナビゲーション装置の記憶部に保存する音楽データを外部のネットワークからダウンロードするように構成してもよい。
【発明の効果】
【００１９】
本発明は、複数のエリアの地図データが記憶部に保存されているナビゲーション装置において、音楽データを保存するとき記憶部の空き領域がデータ比較判断部で不足すると判断されたときに、使用回数の少ないエリアの地図データを削除することで記憶部に音楽データを保存できる空き領域を確保することができる。
【発明を実施するための最良の形態】
【００２０】
（第１の実施の形態）
以下、本発明における第１の実施の形態について、図面を用いて詳細に説明する。図１には、本発明のナビゲーション装置の構成を示すブロック図である。なお、第１の実施の形態では、地図データ整理部として使用回数の少ない地図データを削除する方法について説明する。
【００２１】
図１に示すように、ナビゲーション装置１は、各種データを入力する入力インターフェース（以下、入力ＩＦという）１１と、各種データを記憶するＨＤＤ１２と、各種プログラムを格納するＲＯＭ１３と、ＲＯＭ１３に格納されたプログラムを解釈し実行するＣＰＵ１４と、入力ＩＦ１１やＣＰＵ１４などからのデータを保持するＲＡＭ１５と、ＣＰＵ１４からのデータに応じて音声出力を制御する音声プロセッサ１６と、音楽ＣＤや音楽ＤＶＤ等の記録メディアを再生する音楽入力部１７と、ＣＰＵ１４からのデータに応じて画像出力を制御する画像プロセッサ１８と、画像データを保持するＶＲＡＭ１９と、各種データを出力する出力インターフェース（以下、出力ＩＦという）２０とを備え、これらはバスで接続されて構成されている。
【００２２】
また、入力ＩＦ１１には、衛星からのＧＰＳデータを受信するＧＰＳ受信機２１と、方位に対応する方位データを出力する方位センサ２２と、速度に対応する速度データを出力する速度センサ２３と、物体との接触に応じて接触座標に係るデータを出力するタッチパネル２４と、外部との接続可能に構成された通信部２４が接続されている。
【００２３】
ＨＤＤ１２には、電子化された道路地図の地図データが保存されており、この地図データは、例えば、東京、神奈川、埼玉というような都道府県別にエリアが細分化された地図データが保存されている。また、ＣＰＵ１４でリッピングした音楽ＣＤや音楽ＤＶＤ等の音楽データや、後記するエリア別地図データ使用回数検出プログラムの検出結果等が保存することができるように構成されている。
【００２４】
ＲＯＭ１３には、ナビゲーションプログラムの他に、ナビゲーション装置１での走行履歴の回数を検出するエリア別地図データ使用回数検出プログラムと、音楽ＣＤや音楽ＤＶＤ等から音楽データに変換するリッピングプログラムと、ＨＤＤ１２の空き領域を管理する容量管理プログラムと、ＨＤＤ１２の空き領域に音楽データが保存可能か否かを判断する容量比較判断プログラムと、エリア別地図データ使用回数検出プログラムの検出結果に応じて使用回数の少ない地図データを削除する削除プログラムと、が格納されている。
【００２５】
なお、ＲＯＭ１３のリッピングプログラムとＣＰＵ１４を組み合わせて処理するものがリッピング部である。また、ＲＯＭ１３のエリア別地図データ使用回数検出プログラムとＣＰＵ１４を組み合わせて処理するものが地図データ使用回数検出部である。また、ＲＯＭ１３の容量管理プログラムとＣＰＵ１４を組み合わせて処理するものが記憶容量検出部である。さらに、ＲＯＭ１３の容量比較判断プログラムとＣＰＵ１４を組み合わせて処理するものがデータ比較判断部である。また、ＲＯＭ１３の削除プログラムとＣＰＵ１４を組み合わせて処理するものがデータ整理部である。
【００２６】
ＣＰＵ１４は、ナビゲーション装置１を制御すると共にＲＯＭ１３に記憶されたプログラムから使用用途に応じて読み出しを行い処理を行っている。例えば、ＣＰＵ１４によって読み出されたエリア別地図データ使用回数検出プログラムは、エリア毎の地図データの使用回数を検出し、検出結果をＨＤＤ１２に記録するように構成されている。また、ＣＰＵ１４によって読み出された容量管理プログラムは、ＨＤＤ１２の容量を常に把握して、例えば、ＨＤＤ１２のヘッダー部分に容量を保存するように構成されている。
【００２７】
出力ＩＦ２０は、音声データに対応する音声を出力するスピーカ３１と、画像データに対応する画像を表示するディスプレイ３２と、外部との接続ができる通信部２４に接続されている。
【００２８】
次に、このように構成されたナビゲーション装置１のＨＤＤに音楽データを保存する際の流れについてフロー図を用いて詳細に説明する。図２は、第１の実施の形態におけるナビゲーション装置の動作について示したフロー図である。なお、ナビゲーション装置１のエリア別地図データ使用回数は走行履歴から検出されているものとする。
【００２９】
ナビゲーション装置１の音楽入力部１７に音楽ＣＤや音楽ＤＶＤが挿入されＨＤＤ１２に保存しようとすると、図２に示すようにＣＰＵ１４は、ＨＤＤ１２に保存しようとする音楽データを読み込み（Ｓ１）、ＲＯＭ１３に格納された容量管理プログラムで管理されているＨＤＤ１２の空き領域と音楽データの容量とを比較する（Ｓ２）。
【００３０】
このとき、音楽データがＨＤＤ１２の空き領域よりも大きいとき（Ｓ３，ＹＥＳ）、エリア別地図データ使用回数から使用回数が少ない地図データを削除する（Ｓ４）。そして、使用回数の少ない地図データを削除することでＨＤＤ１２の空き領域が確保され、ＨＤＤ１２に新規の音楽データを保存することができる（Ｓ５）。なお、音楽データがＨＤＤ１２の空き領域よりも小さいとき（Ｓ３、ＮＯ）は、地図データを削除せずにＨＤＤ１２に音楽データを保存する（Ｓ５）。
【００３１】
このように構成された第１の実施の形態のナビゲーション装置１は、ナビゲーション装置１での走行履歴を元にエリア別地図データの使用回数を検出し、ＨＤＤ１２にエリア別の地図データの使用回数を保存し、音楽入力部１７に音楽ＣＤや音楽ＤＶＤが挿入されるとＨＤＤ１２の空き領域に対して音楽データが保存可能か否かを容量比較判断プログラムで判断し、ＨＤＤ１２の空き領域に音楽データが保存できないと判断したとき、ＨＤＤ１２に保存されたエリア別の地図データの使用回数から使用回数の少ない地図データを自動的に選択して削除してＨＤＤ１２の空き領域を確保するので音楽ＣＤや音楽ＤＶＤ等の音
楽データをＨＤＤ１２に保存することができる。
【００３２】
（第２の実施の形態）
次に、第２の実施の形態について図面を用いて詳細に説明する。なお、第２の実施の形態のナビゲーション装置１の構成は、第１の実施の形態で示したものと同じ箇所に対して詳細な説明を省略し、変更点のみ詳細に説明する。図３は、第２の実施の形態におけるナビゲーション装置１の動作を示すフロー図である。図４は、第２の実施の形態におけるディスプレイ表示を示す概念図である。
【００３３】
第２の実施の形態におけるナビゲーション装置１は、各種データを入力する入力ＩＦ１１と、各種データを記憶するＨＤＤ１２と、各種プログラムを格納するＲＯＭ１３ａと、ＲＯＭ１３ａに格納されたプログラムを解釈し実行するＣＰＵ１４と、入力ＩＦ１１やＣＰＵ１４などからのデータを保持するＲＡＭ１５と、ＣＰＵ１４からのデータに応じて音声出力を制御する音声プロセッサ１６と、音楽ＣＤや音楽ＤＶＤ等の記録メディアを再生する音楽入力部１７と、ＣＰＵ１４からのデータに応じて画像出力を制御する画像プロセッサ１８と、画像データを保持するＶＲＡＭ１９と、各種データを出力する出力ＩＦ２０とを備え、これらはバスで接続されて構成されている。
【００３４】
ここで、ＲＯＭ１３ａには、ナビゲーションプログラムの他に、ナビゲーション装置１での走行履歴の回数を検出するエリア別地図データ使用回数検出プログラムと、音楽ＣＤや音楽ＤＶＤ等から音楽データに変換するリッピングプログラムと、ＨＤＤ１２の空き領域を管理する容量管理プログラムと、ＨＤＤ１２の空き領域に音楽データが保存可能か否かを判断する容量比較判断プログラムと、エリア別地図データ使用回数検出プログラムで検出された使用回数の少ないエリアをディスプレイ３２にリスト表示するリスト表示プログラムと、ディスプレイ３２に表示された地図データに対して利用者の選択又は非選択によって使用回数の少ない地図データを削除する削除プログラムと、が格納されている。
【００３５】
このように構成されたナビゲーション装置１の動作についてフロー図を用いて説明する。
第２の実施の形態における本発明のナビゲーション装置は、ナビゲーション装置１の音楽入力部１７に音楽ＣＤや音楽ＤＶＤが挿入されＨＤＤ１２に保存しようとすると、図３に示すようにＣＰＵ１４は、ＨＤＤ１２に保存しようとする音楽データを読み込み（Ｓ６）、ＲＯＭ１３に格納された容量管理プログラムで管理されているＨＤＤ１２の空き領域と音楽データの容量とを比較する（Ｓ７）。
【００３６】
このとき、音楽データがＨＤＤ１２の空き領域よりも大きいとき（Ｓ８，ＹＥＳ）、ＲＯＭ１３に格納されているエリア別地図データ使用回数検出プログラムで検出された使用回数が少ない地図データのリストをディスプレイ３２の画面に表示する（Ｓ９）。そして、ディスプレイ３２にリスト表示された地図データから削除する地図データを選択させる。（Ｓ１０）。
【００３７】
ディスプレイ３２に表示された地図データから選択されると（Ｓ１０、ＹＥＳ）、選択された地図データを削除する（Ｓ１２）。そして、再度、ＨＤＤ１２の空き領域と保存する音楽データを比較し（Ｓ７）、ＨＤＤ１２の空き領域に音楽データを保存できると判断されると（Ｓ８、ＮＯ）、ＨＤＤ１２に音楽データを保存する（Ｓ１３）。
【００３８】
また、ステップ８（Ｓ８）でＨＤＤ１２の空き領域よりも音楽データの方が大きいと判断されたときは（Ｓ８，ＹＥＳ）、使用回数の少ない地図データを再度ディスプレイ３２に表示し（Ｓ４）、削除する地図データを選択させる（Ｓ１０）。そして、ＨＤＤ１２の空き領域に音楽データを保存することができるまで繰り返し（Ｓ１０→Ｓ１２→Ｓ７→Ｓ
８→Ｓ９→Ｓ１０）、ＨＤＤ１２の空き領域が確保できた時点で音楽データを保存する（Ｓ１３）。
【００３９】
また、ステップ１０（Ｓ１０）において、ディスプレイ３２に表示された削除対象の地図データを選択しなかった場合には（Ｓ１０、ＮＯ）、ＨＤＤ１２に保存する音楽データの空き領域が確保できる使用回数の少ない地図データを自動的に削除し（Ｓ１１）、ＨＤＤ１２の空き領域が確保された時点で音楽データを保存する（Ｓ１３）。
【００４０】
このように構成された第２の実施の形態は、ナビゲーション装置１での走行履歴を元にエリア別地図データの使用回数を検出し、ＨＤＤ１２にエリア別の地図データの使用回数を保存し、音楽入力部１７に音楽ＣＤや音楽ＤＶＤが挿入されるとＨＤＤ１２の空き領域に対して音楽データが保存可能か否かを容量比較判断プログラムで判断する。このとき、ＨＤＤ１２の空き領域に音楽データが保存できないと判断されると、例えば、図４に示すように、エリア別地図データ使用回数検出プログラムで検出された使用回数の少ない地図データＡをリスト表示プログラムでディスプレイ３２に表示する。
【００４１】
そして、表示された使用回数の少ない地図データのリストから利用者が選択して削除することでＨＤＤ１２の空き領域を確保して音楽ＣＤや音楽ＤＶＤ等の音楽データを保存することができる。また、ディスプレイ３２に使用回数の少ない地図データリストを表示したあとナビゲーション装置の利用者が一定時間（例えば、３分経過）経過しても利用者が選択しない場合には、自動的にリストに表示された地図データを削除してＨＤＤ１２の空き領域を確保して音楽データを保存することができる。
【００４２】
（第３の実施の形態）
次に第３の実施の形態について図面を用いて詳細に説明する。なお、第３の実施の形態のナビゲーション装置１の構成は、第１の実施の形態及び第２の実施の形態で示したものと同じ箇所に対して詳細な説明を省略し、変更点のみ詳細に説明する。なお、第３の実施の形態では、ナビゲーション装置に予め削除したくないエリア（利用回数は少ないが保存しておきたいエリアの地図データ）を利用者がナビゲーション装置１に登録しているものとする。また、ナビゲーション装置１のエリア別地図データ使用回数は走行履歴から検出されているものとする。
【００４３】
第３の実施の形態におけるナビゲーション装置１は、図１に示すように各種データを入力する入力ＩＦ１１と、各種データを記憶するＨＤＤ１２と、各種プログラムを格納するＲＯＭ１３ｂと、ＲＯＭ１３ｂに格納されたプログラムを解釈し実行するＣＰＵ１４と、入力ＩＦ１１やＣＰＵ１４などからのデータを保持するＲＡＭ１５と、ＣＰＵ１４からのデータに応じて音声出力を制御する音声プロセッサ１６と、音楽ＣＤや音楽ＤＶＤ等の記録メディアを再生する音楽入力部１７と、ＣＰＵ１４からのデータに応じて画像出力を制御する画像プロセッサ１８と、画像データを保持するＶＲＡＭ１９と、各種データを出力する出力ＩＦ２０とを備え、これらはバスで接続されて構成されている。
【００４４】
ここで、ＲＯＭ１３ｂには、ナビゲーションプログラムの他に、ナビゲーション装置１での走行履歴の回数を検出するエリア別地図データ使用回数検出プログラムと、音楽ＣＤや音楽ＤＶＤ等から音楽データに変換するリッピングプログラムと、ＨＤＤ１２の空き領域を管理する容量管理プログラムと、ＨＤＤ１２の空き領域に音楽データが保存可能か否かを判断する容量比較判断プログラムと、エリア別地図データ使用回数検出プログラムで検出された使用回数の少ないエリアが利用者の指定したエリアであるか否かを判断する指定エリア判断プログラムと、指定エリア判断プログラムの判断結果に基いて使用回数の少ない地図データを削除する削除プログラムと、が格納されている。
【００４５】
このように構成されたナビゲーション装置１の動作についてフロー図を用いて説明する。
図５は、第３の実施の形態におけるナビゲーション装置の動作を示すフロー図である。第３の実施の形態における本発明のナビゲーション装置は、ナビゲーション装置１の音
楽入力部１７に音楽ＣＤや音楽ＤＶＤが挿入されＨＤＤ１２に保存しようとすると、図５に示すようにＣＰＵ１４は、ＨＤＤ１２に保存しようとする音楽データを読み込み（Ｓ２１）、ＲＯＭ１３に格納された容量管理プログラムで管理されているＨＤＤ１２の空き領域と音楽データの容量とを比較する（Ｓ２２）。
【００４６】
このとき、音楽データがＨＤＤ１２の空き領域よりも大きいとき（Ｓ２３，ＹＥＳ）、ＲＯＭ１３ｃに格納されているエリア別地図データ使用回数検出プログラムで検出された使用回数の少ない地図データのリストに使用者が登録したエリアの地図データの有無を指定エリア判断プログラムで確認する（Ｓ２４）。
【００４７】
そして、利用者が登録したエリアの地図データがある場合には（Ｓ２４，ＹＥＳ）、使用者が登録したエリアを除いた使用回数の少ない地図データを削除し（Ｓ２５）、ＨＤＤ１２の空き領域を確保して音楽データを保存する（Ｓ２７）。なお、ステップ２４（Ｓ２４）において、使用回数の少ない地図データのリストに使用者が指定したエリアの地図データが無いときは（Ｓ２４、ＮＯ）、使用回数の少ない地図データを削除してＨＤＤ１２の空き領域を確保して音楽データを保存する（Ｓ２７）。
【００４８】
このように構成された第３の実施の形態のナビゲーション装置は、使用者が予め削除したくないエリアをナビゲーション装置１に登録しておき、音楽入力部１７に音楽ＣＤや音楽ＤＶＤが挿入されるとＨＤＤ１２の空き領域に対して音楽データが保存可能か否かを容量比較判断プログラムで判断し、ＨＤＤ１２の空き領域に音楽データが保存できないと判断するとエリア別地図データ使用回数検出プログラムで検出された使用回数の少ない地図データの中に使用者が予め登録したエリアの有無を指定エリア判断プログラムで判断し、指定したエリアがある場合には、そのエリアを除いた地図データを削除してＨＤＤ１２の空き領域を確保して音楽ＣＤや音楽ＤＶＤ等の音楽データをＨＤＤ１２に保存することができる。特に、利用者が必要だと思う地図データを削除対象から外すことができる。
【００４９】
（第４の実施の形態）
次に、第４の実施の形態について図面を用いて詳細に説明する。第１の実施の形態から第３の実施の形態において、利用回数の少ない地図データを削除するとしたが、第４の実施の形態では、利用回数の少ない地図データに対して圧縮する方法を説明する。
なお、ナビゲーション装置１の構成については、第１の実施の形態で示したものと同じ箇所に対して詳細な説明を省略し、変更点のみ詳細に説明する。
【００５０】
第４の実施の形態におけるナビゲーション装置１は、各種データを入力する入力ＩＦ１１と、各種データを記憶するＨＤＤ１２と、各種プログラムを格納するＲＯＭ１３ｄと、ＲＯＭ１３ｄに格納されたプログラムを解釈し実行するＣＰＵ１４と、入力ＩＦ１１やＣＰＵ１４などからのデータを保持するＲＡＭ１５と、ＣＰＵ１４からのデータに応じて音声出力を制御する音声プロセッサ１６と、音楽ＣＤや音楽ＤＶＤ等の記録メディアを再生する音楽入力部１７と、ＣＰＵ１４からのデータに応じて画像出力を制御する画像プロセッサ１８と、画像データを保持するＶＲＡＭ１９と、各種データを出力する出力ＩＦ２０とを備え、これらはバスで接続されて構成されている。
【００５１】
ここでＲＯＭ１３ｄには、ナビゲーションプログラムの他に、ナビゲーション装置１での走行履歴の回数を検出するエリア別地図データ使用回数検出プログラムと、音楽ＣＤや音楽ＤＶＤ等から音楽データに変換するリッピングプログラムと、ＨＤＤ１２の空き領域
を管理する容量管理プログラムと、ＨＤＤ１２の空き領域に音楽データが保存可能か否かを判断する容量比較判断プログラムと、エリア別地図データ使用回数検出プログラムの検出結果に応じて使用回数の少ない地図データを圧縮する圧縮プログラムと、が格納されている。なお、ＲＯＭ１３ｄの圧縮プログラムとＣＰＵ１４を組み合わせて処理するものがデータ整理部である。
【００５２】
このように構成された第４の実施の形態におけるナビゲーション装置１のＨＤＤに音楽データを保存する際の流れについてフロー図を用いて詳細に説明する。図６は、ナビゲーション装置で音楽をリッピングしてＨＤＤに保存する際の処理について示したフロー図である。なお、ナビゲーション装置１のエリア別地図データ使用回数は走行履歴から検出されているものとする。
【００５３】
第４の実施の形態における本発明のナビゲーション装置１の音楽入力部１７に音楽ＣＤや音楽ＤＶＤが挿入されＨＤＤ１２に保存しようとすると、図６に示すようにＣＰＵ１４は、ＨＤＤ１２に保存しようとする音楽データを読み込み（Ｓ２８）、ＲＯＭ１３に格納された容量管理プログラムで管理されているＨＤＤ１２の空き領域と音楽データの容量とを比較する（Ｓ２９）。
【００５４】
このとき、音楽データがＨＤＤ１２の空き領域よりも大きいとき（Ｓ３０，ＹＥＳ）、ＲＯＭ１３ｄに格納されているエリア別地図データ使用回数検出プログラムで検出された使用回数が少ない地図データを圧縮プログラムで圧縮する（Ｓ３１）。そして、ＨＤＤ１２の空き領域を確保して音楽データを保存する（Ｓ３２）。なお、Ｓ３０においてＨＤＤ１２の空き領域が音楽データよりも大きい場合には（Ｓ３０、ＮＯ）、ＨＤＤ１２の空き領域に音楽データを保存する（Ｓ３２）。
【００５５】
このように構成された第４の実施の形態のナビゲーション装置１は、ナビゲーション装置１での走行履歴を元にエリア別地図データの使用回数を検出し、ＨＤＤ１２にエリア別の地図データの使用回数を保存する。音楽入力部１７に音楽ＣＤや音楽ＤＶＤが挿入されるとＨＤＤ１２の空き領域に対して音楽データが保存可能か否かを容量比較判断プログラムで判断し、ＨＤＤ１２の空き領域に音楽データが保存できないと判断したとき、ＨＤＤ１２に保存されたエリア別の地図データの使用回数から使用回数の少ない地図データを自動的に選択して圧縮してＨＤＤ１２の空き領域を確保するので、ＨＤＤ１２の空き領域がなくても音楽ＣＤや音楽ＤＶＤ等の音楽データをＨＤＤ１２に保存することができる。
【００５６】
（第５の実施の形態）
次に第５の実施の形態について図面を用いて詳細に説明する。なお、ナビゲーション装置１の構成について第１の実施の形態で示したものと同じ箇所に対しては詳細な説明を省略する。
【００５７】
第５の実施の形態のナビゲーション装置は、図１に示すように各種データを入力する入力ＩＦ１１と、各種データを記憶するＨＤＤ１２と、各種プログラムを格納するＲＯＭ１３ｅと、ＲＯＭ１３ｅに格納されたプログラムを解釈し実行するＣＰＵ１４と、入力ＩＦ１１やＣＰＵ１４などからのデータを保持するＲＡＭ１５と、ＣＰＵ１４からのデータに応じて音声出力を制御する音声プロセッサ１６と、音楽ＣＤや音楽ＤＶＤ等の記録メディアを再生する音楽入力部１７と、ＣＰＵ１４からのデータに応じて画像出力を制御する画像プロセッサ１８と、画像データを保持するＶＲＡＭ１９と、各種データを出力する出力ＩＦ２０とを備え、これらはバスで接続されて構成されている。
【００５８】
ここでＲＯＭ１３ｅには、ナビゲーションプログラムの他に、ナビゲーション装置１での走行履歴の回数を検出するエリア別地図データ使用回数検出プログラムと、音楽ＣＤや
音楽ＤＶＤ等から音楽データに変換するリッピングプログラムと、ＨＤＤ１２の空き領域を管理する容量管理プログラムと、ＨＤＤ１２の空き領域に音楽データが保存可能か否かを判断する容量比較判断プログラムと、エリア別地図データ使用回数検出プログラムの検出結果に応じて使用回数の少ない地図データを圧縮する圧縮プログラムと、エリア別地図データ使用回数検出プログラムで検出された使用回数の少ないエリアをディスプレイ３２にリスト表示するリスト表示プログラムが格納されている。
【００５９】
このように構成された第５の実施の形態におけるナビゲーション装置１のＨＤＤに音楽データを保存する際の流れについてフロー図を用いて詳細に説明する。図７は、第５の実施の形態におけるナビゲーション装置の動作を示すフロー図である。
【００６０】
第５の実施の形態における本発明のナビゲーション装置１は、ナビゲーション装置１の音楽入力部１７に音楽ＣＤや音楽ＤＶＤが挿入されＨＤＤ１２に保存しようとすると、図７に示すようにＣＰＵ１４は、ＨＤＤ１２に保存しようとする音楽データを読み込み（Ｓ３３）、ＲＯＭ１３ｅに格納された容量管理プログラムで管理されているＨＤＤ１２の空き領域と音楽データの容量とを比較する（Ｓ３４）。
【００６１】
このとき、音楽データがＨＤＤ１２の空き領域よりも大きいとき（Ｓ３５，ＹＥＳ）、ＲＯＭ１３ｅに格納されているエリア別地図データ使用回数検出プログラムで検出された使用回数の少ない地図データのリストをディスプレイ３２の画面に表示する（Ｓ３６）。そして、ナビゲーション装置１の利用者がディスプレイ３２に表示された地図データリストから圧縮する地図データを選択すると（Ｓ３７、ＹＥＳ）、選択された地図データを圧縮する（Ｓ３９）。
【００６２】
そして、選択された地図データが圧縮されたことで、ＨＤＤ１２に音楽データを保存するための空き領域があるか否かを比較し（Ｓ３４）、音楽データがＨＤＤ１２に保存可能であるときはＨＤＤ１２に音楽データを保存し（Ｓ４０）、ＨＤＤ１２の空き領域が不足しているときは、再度地図データを選択させて地図データを圧縮し、ＨＤＤ１２に音楽データが保存できる空き領域を確保するまで繰り返す。
【００６３】
また、ステップ３７（Ｓ３７）で利用者によって圧縮する地図データが選択されないと、使用回数の少ない地図データを自動的に圧縮して（Ｓ３８）、ＨＤＤ１２に音楽データを保存するための空き領域を確保し、ＨＤＤ１２に空き領域を確保する（Ｓ４０）。
【００６４】
このように構成された第５の実施の形態のナビゲーション装置１は、使用者が予め削除したくないエリアを登録しておき、ナビゲーション装置１での走行履歴を元にエリア別地図データの使用回数を検出し、音楽入力部１７に音楽ＣＤや音楽ＤＶＤが挿入されるとＨＤＤ１２の空き領域に対して音楽データが保存可能か否かを容量比較判断プログラムで判断する。そして、ＨＤＤ１２の空き領域に音楽データが保存できないと判断したとき、エリア別地図データ使用回数検出プログラムで検出された使用回数の少ない地図データのリストをディスプレイ３２の画面に表示し、ナビゲーション装置１の利用者に圧縮する地図データを選択させて地図データを圧縮し、ＨＤＤ１２の空き領域が確保して音楽データをＨＤＤ１２に保存する。また、利用者が選択しないときは、自動的にリストに表示された地図データを自動的に圧縮してＨＤＤ１２の空き領域を確保して音楽データを保存することができる。
【００６５】
（第６の実施の形態）
次に第６の実施の形態について図面を用いて詳細に説明する。なお、第１の実施の形態から第５の実施の形態において利用回数の少ない地図データに対して削除や圧縮について記載したが、第６の実施の形態では、利用回数の少ない地図データを磁気記録媒体に移動
させる方法について説明する。また、ナビゲーション装置の構成について第１の実施の形態で示したものと同じ箇所に対しては同じ符号を記載すると共に詳細な説明を省略する。図８は、第６の実施の形態におけるナビゲーション装置の構成を示すブロック図である。
【００６６】
第６の実施の形態のナビゲーション装置は、図８に示すように各種データを入力する入力ＩＦ１１と、各種データを記憶するＨＤＤ１２と、各種プログラムを格納するＲＯＭ１３ｆと、ＲＯＭ１３ｆ格納されたプログラムを解釈し実行するＣＰＵ１４と、入力ＩＦ１１やＣＰＵ１４などからのデータを保持するＲＡＭ１５と、ＣＰＵ１４からのデータに応じて音声出力を制御する音声プロセッサ１６と、音楽ＣＤや音楽ＤＶＤ等の記録メディアを再生する音楽入力部１７と、ＣＰＵ１４からのデータに応じて画像出力を制御する画像プロセッサ１８と、画像データを保持するＶＲＡＭ１９と、各種データを出力する出力ＩＦ２０と、ＳＤカードメモリ等の磁気記録媒体を接続してナビゲーション装置に入出力を行える外部入出力部３３とを備え、これらはバスで接続されて構成されている。
【００６７】
ここでＲＯＭ１３ｆには、ナビゲーションプログラムの他に、ナビゲーション装置１での走行履歴の回数を検出するエリア別地図データ使用回数検出プログラムと、音楽ＣＤや音楽ＤＶＤ等から音楽データに変換するリッピングプログラムと、ＨＤＤ１２の空き領域を管理する容量管理プログラムと、ＨＤＤ１２の空き領域に音楽データが保存可能か否かを判断する容量比較判断プログラムと、エリア別地図データ使用回数検出プログラムの検出結果に応じて使用回数の少ない地図データを外部入出力部３３に挿入された磁気記録媒体に転送する転送プログラムとが格納されている。
【００６８】
次にナビゲーション装置２の動作についてフロー図を用いて詳細に説明する。図９は、第６の実施の形態におけるナビゲーション装置の動作を示すフロー図である。
第６の実施の形態における本発明のナビゲーション装置１は、ナビゲーション装置１の音楽入力部１７に音楽ＣＤや音楽ＤＶＤが挿入されＨＤＤ１２に保存しようとすると、図８に示すようにＣＰＵ１４は、ＨＤＤ１２に保存しようとする音楽データを読み込み（Ｓ４１）、ＲＯＭ１３ｆに格納された容量管理プログラムで管理されているＨＤＤ１２の空き領域と音楽データの容量とを比較する（Ｓ４２）。
【００６９】
このとき、音楽データがＨＤＤ１２の空き領域よりも大きいとき（Ｓ４３，ＹＥＳ）、ＲＯＭ１３ｆに格納されているエリア別地図データ使用回数検出プログラムで検出された使用回数の少ない地図データに対して転送プログラムで磁気記録媒体に転送する（Ｓ４４）。
【００７０】
そして、ＨＤＤ１２の空き領域が確保されたあとＨＤＤ１２に音楽データを保存する（Ｓ４５）。なお、ステップ４３（Ｓ４３）で音楽データの容量がＨＤＤ１２の空き領域より小さいときは（Ｓ４３、ＮＯ）、ＨＤＤ１２に音楽データを保存する（Ｓ４５）。
【００７１】
このように構成された第６の実施の形態のナビゲーション装置２は、音楽入力部１７に音楽ＣＤや音楽ＤＶＤが挿入されるとＨＤＤ１２の空き領域に対して音楽データが保存可能か否かを容量比較判断プログラムで判断し、ＨＤＤ１２の空き領域に音楽データが保存できないと判断したとき、エリア別地図データ使用回数検出プログラムで検出された使用回数の少ない地図データを外部入出力部３３に挿入された磁気記録媒体に転送（移動）してＨＤＤ１２の空き領域を確保することができるので、音楽データを保存することができる。
【００７２】
（第７の実施の形態）
次に第５の実施の形態について図面を用いて詳細に説明する。なお、ナビゲーション装置２の構成について第６の実施の形態で示したものと同じ箇所に対しては詳細な説明を省
略する。
【００７３】
第７の実施の形態のナビゲーション装置２は、図８に示すように各種データを入力する入力ＩＦ１１と、各種データを記憶するＨＤＤ１２と、各種プログラムを格納するＲＯＭ１３ｇと、ＲＯＭ１３ｇに格納されたプログラムを解釈し実行するＣＰＵ１４と、入力ＩＦ１１やＣＰＵ１４などからのデータを保持するＲＡＭ１５と、ＣＰＵ１４からのデータに応じて音声出力を制御する音声プロセッサ１６と、音楽ＣＤや音楽ＤＶＤ等の記録メディアを再生する音楽入力部１７と、ＣＰＵ１４からのデータに応じて画像出力を制御する画像プロセッサ１８と、画像データを保持するＶＲＡＭ１９と、各種データを出力する出力ＩＦ２０と、エリア別地図データ使用回数検出プログラムの検出結果に応じて使用回数の少ない地図データを外部入出力部３３に挿入された磁気記録媒体に転送する転送プログラムとを備え、これらはバスで接続されて構成されている。
【００７４】
ここでＲＯＭ１３ｇには、ナビゲーションプログラムの他に、ナビゲーション装置１での走行履歴の回数を検出するエリア別地図データ使用回数検出プログラムと、音楽ＣＤや音楽ＤＶＤ等から音楽データに変換するリッピングプログラムと、ＨＤＤ１２の空き領域を管理する容量管理プログラムと、ＨＤＤ１２の空き領域に音楽データが保存可能か否かを判断する容量比較判断プログラムと、エリア別地図データ使用回数検出プログラムで検出された使用回数の少ないエリアをディスプレイ３２にリスト表示するリスト表示プログラムと、ディスプレイ３２に表示された使用回数の少ない地図データから利用者が選択した地図データを磁気記録媒体に転送する転送プログラムと、が格納されている。なお、転送プログラムは、ディスプレイ３２に表示された使用回数の少ない地図データから利用者が一定時間選択しないと自動的に磁気記録媒体に転送するように構成されている。
【００７５】
このように構成された第７の実施の形態におけるナビゲーション装置２のＨＤＤに音楽データを保存する際の流れについてフロー図を用いて詳細に説明する。図１０は、第７の実施の形態におけるナビゲーション装置の動作を示すフロー図である。
【００７６】
第７の実施の形態における本発明のナビゲーション装置２は、ナビゲーション装置２の音楽入力部１７に音楽ＣＤや音楽ＤＶＤが挿入されＨＤＤ１２に保存しようとすると、図７に示すようにＣＰＵ１４は、ＨＤＤ１２に保存しようとする音楽データを読み込み（Ｓ４６）、ＲＯＭ１３ｇに格納された容量管理プログラムで管理されているＨＤＤ１２の空き領域と音楽データの容量とを比較する（Ｓ４７）。
【００７７】
このとき、音楽データがＨＤＤ１２の空き領域よりも大きいとき（Ｓ４８，ＹＥＳ）、ＲＯＭ１３ｇに格納されているエリア別地図データ使用回数検出プログラムで検出された使用回数の少ない地図データのリストをディスプレイ３２の画面に表示する（Ｓ４９）。そして、ナビゲーション装置２の利用者がディスプレイ３２に表示された地図データリストから外部入出力部３３に挿入された磁気記録媒体に転送する地図データを選択すると（Ｓ５０、ＹＥＳ）、選択された地図データを磁気記録媒体に移送する（Ｓ５２）。
【００７８】
そして、選択された地図データが磁気記録媒体に移送されたことで、ＨＤＤ１２に音楽データを保存するための空き領域があるか否かを再度比較し（Ｓ４７）、音楽データがＨＤＤ１２に保存可能であるときは（Ｓ４８、ＮＯ）、ＨＤＤ１２に音楽データを保存し（Ｓ５３）、ＨＤＤ１２の空き領域が不足しているときは（Ｓ４８、ＹＥＳ）、再度地図データをディスプレイ３２に表示させ（Ｓ４９）、利用者に地図データを選択させて地図データを圧縮し、ＨＤＤ１２に音楽データが保存できる空き領域を確保するまで繰り返し（Ｓ５０→Ｓ５２→Ｓ４７→Ｓ４８→Ｓ４９→Ｓ５０）、ＨＤＤ１２に音楽データが保存できる空き領域が確保されたとき音楽データを保存する（Ｓ５３）。
【００７９】
また、ステップ５０（Ｓ５０）で利用者によって移送する地図データが選択されないと、使用回数の少ない地図データを自動的に磁気記録媒体に移送して（Ｓ５１）、ＨＤＤ１２に音楽データを保存するための空き領域を確保しＨＤＤ１２に空き領域を確保してＨＤＤ１２に音楽データを保存する（Ｓ５３）。
【００８０】
このように構成された第７の実施の形態のナビゲーション装置２は、音楽入力部１７に音楽ＣＤや音楽ＤＶＤが挿入されるとＨＤＤ１２の空き領域に対して音楽データが保存可能か否かを容量比較判断プログラムで判断し、ＨＤＤ１２の空き領域に音楽データが保存できないと判断したとき、エリア別地図データ使用回数検出プログラムで検出された使用回数の少ない地図データのリストをディスプレイ３２の画面に表示し、ナビゲーション装置２の利用者に磁気記録媒体に移送する地図データを選択させて地図データを移送し、ＨＤＤ１２の空き領域を確保して音楽データをＨＤＤ１２に保存することができる。また、利用者が選択しないときは、自動的にリストに表示された地図データを自動的に磁気記録媒体に移送してＨＤＤ１２の空き領域を確保して音楽データを保存することができる。
【００８１】
以上、本発明のナビゲーション装置について第１の実施の形態から第７の実施の形態を用いて説明したが、本発明を限定するものではなく、例えば、ナビゲーション装置１、２に設けられた通信部２４を用いて、削除した私用回数の少ない地図データを必要に利用者の用途に応じて外部のネットワークやサーバーから削除した地図データをダウンロードして使用するようにしてもよい。
【００８２】
また、本発明のナビゲーション装置の実施の形態において、音楽データを音楽ＣＤ又は音楽ＤＶＤを音楽入力部１７に挿入して音楽データをＨＤＤ１２に保存するとしたが、本発明はこれに限定されるものではなく、例えば、通信部２４を用いて外部のネットワークやサーバーに接続して、利用者が必要とする楽曲をダウンロードするように構成しても同様の効果を得ることができる。
【産業上の利用可能性】
【００８３】
以上のように、本発明にかかるナビゲーション装置は、音楽ＣＤ、音楽ＤＶＤ等の音楽データやインターネットに接続してダウンロードした音楽データ等をハードディスクに保存する際に、ハードディスクの空き領域が足りないときにナビゲーション装置で使用する地図データのうち、使用回数の少ない地図データを削除又は圧縮又は移送してハードディスク（ＨＤＤ）の空き領域を確保し音楽データを保存することができるという効果を有し、音楽データをＨＤＤに保存するナビゲーション装置等として有用である。
【図面の簡単な説明】
【００８４】
【図１】本発明のナビゲーション装置の構成を示すブロック図
【図２】第１の実施の形態におけるナビゲーション装置の動作について示したフロー図
【図３】第２の実施の形態におけるナビゲーション装置１の動作を示すフロー図
【図４】第２の実施の形態におけるディスプレイ表示を示す概念図
【図５】第３の実施の形態におけるナビゲーション装置の動作を示すフロー図
【図６】第４の実施の形態におけるナビゲーション装置の動作を示すフロー図
【図７】第５の実施の形態におけるナビゲーション装置の動作を示すフロー図
【図８】第６の実施の形態におけるナビゲーション装置の構成を示すブロック図
【図９】第６の実施の形態におけるナビゲーション装置の動作を示すフロー図
【図１０】第７の実施の形態におけるナビゲーション装置の動作を示すフロー図
【符号の説明】
【００８５】
１  ナビゲーション装置
２  ナビゲーション装置
１１  入力ＩＦ
１２  ＨＤＤ
１３  ＲＯＭ
１４  ＣＰＵ
１８  画像プロセッサ
１９  ＶＲＡＭ
２０  出力ＩＦ
２１  ＧＰＳ受信機
２２  方位センサ
２３  速度センサ
２４  通信部
２５  タッチパネル
３２  ディスプレイ
３３  外部入出力部
【図１】
2007133538.tif 000003
【図２】
2007133538.tif 000004
【図３】
2007133538.tif 000005
【図４】
2007133538.tif 000006
【図５】
2007133538.tif 000007
【図６】
2007133538.tif 000008
【図７】
2007133538.tif 000009
【図８】
2007133538.tif 000010
【図９】
2007133538.tif 000011
【図１０】
2007133538.tif 000012